(57)【要約】    【課題】この発明は、印刷配線基板の装着作業が容易な電気コネクタを提供する。    【解決手段】スライダ押圧板２０に、スライダ押圧板２０を基板挿入口１１ａ内に嵌挿させた際に、コンタクト１２の一部１２ｄと当接してその嵌挿を一時停止させるスライダ仮保持手段３０を形成した。  【選択図】  図１
2005056745.tif 000002
【特許請求の範囲】
【請求項１】
印刷配線基板を挿入する基板挿入口が形成されたハウジングと、該ハウジング内に併設された複数のコンタクトと、前記基板挿入口内に嵌挿し、前記ハウジング内に並設されたコンタクトの各接点に、前記印刷配線基板の端部に形成された対応する複数の接続端子を押付けるスライダ押圧板とを少なくとも有する電気コネクタにおいて、
前記スライダ押圧板に、前記スライダ押圧板を前記基板挿入口内に嵌挿させた際に、前記コンタクトの一部と当接してその嵌挿を一時停止させるスライダ仮保持手段を形成したことを特徴とする電気コネクタ。
【請求項２】
前記スライダ仮保持手段はガイド面により構成されていることを特徴とする請求項１に記載の電気コネクタ。
【請求項３】
前記ガイド面は前記コンタクトの一部と当接する傾斜面からなることを特徴とする請求項２に記載の電気コネクタ。
【発明の詳細な説明】
【技術分野】
【０００１】
この発明は、フレキシブル印刷配線基板等の印刷配線基板を電気的に接続する電気コネクタに関し、特にその装着を簡単にした電気コネクタに関する。
【背景技術】
【０００２】
一般に、フレキシブル印刷配線基板（ＦＰＣ、以下単にＦＰＣという）の一端幅方向に沿って並設された複数の接続端子を、対応する複数の各コンタクトに一括して接続する装置として電気コネクタが提供されている。
【０００３】
図４は従来の電気コネクタ１を示す断面図である。  
この従来の電気コネクタ１は断面略矩形状のハウジング２と、このハウジング２内であって、図面の垂直方向に沿い互いに隣接して配設された側面Ｕ字形状のコンタクト３から構成され、基板挿入口１ａに隣接する位置にはＦＰＣ４の接続端子４ａと圧接する接点３ａが形成されている。
【０００４】
また、この電気コネクタ１には、ＦＰＣ４が矢印Ａのように基板挿入口１ａ内に挿入された後、当該基板挿入口１ａ内に矢印Ｂ方向へ向け嵌挿し、これによりＦＰＣ４の先端部に並設された複数の接続端子４ａを対応する各コンタクト３の接点３ａに押圧して互いに電気的に接続させる部材として板状のスライダ押圧板５が配設されている。
【発明の開示】
【発明が解決しようとする課題】
【０００５】
ところで、上述した電気コネクタ１によると、ＦＰＣ４を基板挿入口１ａ内に挿入する際は、その操作を容易にするためスライダ押圧板５を基板挿入口１ａから遠ざけるべく一旦上方（矢印Ｂとは反対方向）へ引き上げて基板挿入口１ａを拡開し、その後、その拡開した基板挿入口１ａ内にＦＰＣ４を挿入するようにしている。
【０００６】
しかしながら、矢印Ａの如く基板挿入口１ａ内にＦＰＣ４を挿入する際、ＦＰＣ４の挿入方向とスライダ押圧板５の挿入方向（矢印Ｂ）とが同一方向のため、ＦＰＣ４にスライダ押圧板５が当たると、このスライダ押圧板５も連動して基板挿入口１ａを閉る方向へ移動してしまう場合があり、このためＦＰＣ４の装着作業性が著しく低下する難点があった。
【０００７】
特に、図４で示すように、印刷配線基板６に対してハウジング２を垂直に取り付け、下端にあるコンタクト３の接続端子３ｂを印刷配線基板６の図示せぬ印刷配線パターンに接続するタイプの電気コネクタ１では、重力の作用する方向と、スライダ押圧板５のスライド方向とが一致するのでスライダ押圧板５の自重が大きく作用し、上述した傾向が一層顕著となる。
【０００８】
この発明は、上述した事情に鑑み、ＦＰＣの装着作業が容易な電気コネクタを提供すること目的とする。
【課題を解決するための手段】
【０００９】
上述した課題を解決するため、印刷配線基板を挿入する基板挿入口が形成されたハウジングと、該ハウジング内に併設された複数のコンタクトと、前記基板挿入口内に嵌挿し、前記ハウジング内に並設されたコンタクトの各接点に、前記印刷配線基板の端部に形成された対応する複数の接続端子を押付けるスライダ押圧板とを少なくとも有する電気コネクタにおいて、前記スライダ押圧板に、前記スライダ押圧板を前記基板挿入口内に嵌挿させた際に、前記コンタクトの一部と当接してその嵌挿を一時停止させるスライダ仮保持手段を形成するようにしている。
【発明の効果】
【００１０】
この発明の電気コネクタでは、基板挿入口内に嵌挿し、印刷配線基板に形成された接続端子を対応するコンタクトの各接点に押付けるスライダ押圧板に、コンタクトの一部と当接して当該スライダ押圧板の嵌挿を一時停止させるスライダ仮保持手段を形成するようにしたから、印刷配線板の挿入の際にスライダ押圧板に接触して当該スライダ押圧板がつられて移動し、これにより基板挿入口を閉じてしまうこともなく、このため印刷配線板の装着作業が容易な電気コネクタを提供することが出来る。
【００１１】
また、上述したスライダ仮保持手段をスライダ押圧板に形成された斜面により構成するようにしたから、その構造が簡単で安価に提供することも出来る。
【発明を実施するための最良の形態】
【００１２】
以下、この発明に係わる電気コネクタの一実施例を詳述する。
【００１３】
図１はこの発明に係わる電気コネクタ１０の拡大断面図で図４と同一部分を同一符号で示す。
【００１４】
この電気コネクタ１０においても、従来と同様に断面略矩形状のハウジング１１内には、図面の垂直方向に沿って互いに隣接するように所定のピッチでコンタクト１２が併設されている。
【００１５】
このコンタクト１２は、ハウジング１１に支持される基部１２ａと、中間部に接点１２ｂが形成されたコンタクト片１２ｃとから構成され、全体として側面が略Ｕ字形状に形成されている。
【００１６】
一方、このコンタクト片１２ｃと基部１２ａとの間には、従来と同様に後述するＦＰＣが基板挿入口１１ａ内に挿入された後、そのＦＰＣの先端部に形成された各接続端子を対応する前記コンタクト１２の各接点１２ｂに押圧するスライダ押圧板２０が配設されている。
【００１７】
このスライダ押圧板２０は板状の押圧片２０ａを前記コンタクト片１２ｃと基部１２ａとの間に嵌挿するように形成されている。
【００１８】
一方、このスライダ押圧板２０の押圧片２０ａには、並設された各コンタクト片１２ｃと対向する位置にスライダ仮保持手段３０が形成されている。
【００１９】
このスライダ仮保持手段３０は、コンタクト１２の先端部１２ｄを図面左方向、即ちコンタクト片１２ｃを、その弾性力に抗して挿入されたＦＰＣ側へ付勢するガイド面３１により構成されている。
【００２０】
このガイド面３１は押圧片２０ａの下端から上端へ向け、コンタクト片１２ｃの延出方向に対して略平行な第１面３１ａと、この第１面３１ａに連続し、コンタクト片１２ｃを挿入されたＦＰＣ側へ向け付勢する傾斜面からなる第２面３１ｂと、この第２面３１ｂに連続しコンタクト片１２ｃの延出方向に対して平行な第３面３１ｃとから構成されている。
【００２１】
そして、このスライダ押圧板２０は、図１に示す初期位置ではコンタクト片１２ｃの先端部１２ｄが、スライダ仮保持手段３０を構成する傾斜面である第２面３１ｂの始端３１ｅに当接して停止し、その位置に仮保持されている。
【００２２】
次に、上述した電気コネクタ１０の作用を説明し、併せて構成をより詳細に説明する。
【００２３】
図１で示すように、この電気コネクタ１０の初期位置ではスライダ押圧板２０の押圧片２０ａが、コンタクト１２の基部１２ａとコンタクト片１２ｃとの間に嵌挿し、それにより、コンタクト１２の先端部１２ｄがスライダ押圧板２０に形成されたスライダ仮保持手段３０の傾斜面である第２面３１ｂの始端３１ｅに当接し、その位置に停止し仮保持されている。
【００２４】
次に、図２で示すように、スライダ押圧板２０に形成された基板挿入口２０ｂ及びハウジング１１の基板挿入口１１ａを介して矢印Ｃの如くＦＰＣ４を挿入する。
【００２５】
その際、当該ＦＰＣ４とスライダ押圧板２０とが当たり、それにつられてスライダ押圧板２０が下方へ移動しようとするが、スライダ押圧板２０の押圧片２０ａはスライダ仮保持手段３０の傾斜面である第２面３１ｂの始端３１ｅにコンタクト１２の先端部１２ｄが当接して、当該コンタクト１２の先端部１２ｄがストッパー作用を果たしているので、ＦＰＣ４の下動につられて移動することはなく、その位置に位置決め停止された状態を維持する。
【００２６】
従って、このスライダ押圧板２０の下動によって基板挿入口１１ａが閉じてしまうこともなく、ＦＰＣ４はスムーズに下方へ移動し、ハウジング１１内の所定位置に嵌挿して位置決めされることとなる。
【００２７】
その後、図３で示すように、スライダ押圧板２０を矢印Ｄのように押圧すると、その押圧力により当該スライダ押圧板２０は下降し、このためコンタクト１２の先端部１２ｄはスライダ仮保持手段３０を構成する傾斜面の第２面３１ｂに続き平行な第３面３１ｃに沿って移動する。
【００２８】
このようにコンタクト１２の先端部１２ｄがスライダ仮保持手段３０を構成する傾斜面の第２面３１ｂに続き平行な第３面３１ｃに沿って移動すると、コンタクト１２の先端部１２ｄはコンタクト片１２ｃの弾性力に抗して挿入されたＦＰＣ４側へ変位し、これによりＦＰＣ４に形成された各接続端子４ａに対応するコンタクト１２の各接点１２ｂを押圧し、かつ当接させて相互の電気的接続を行うこととなる。
【００２９】
なお、上記実施例では、印刷配線基板６に対して垂直にハウジング１１を配置する電気コネクタ１０について詳述したが、この発明は上記実施例に限定されることなく、印刷配線基板６に対してハウジングを平行に配置する電気コネクタに適用しても良いことは勿論でである。
【産業上の利用可能性】
【００３０】
以上説明したように、この発明の電気コネクタは、ＦＰＣの装着作業を容易にする電気コネクタに適している。
【図面の簡単な説明】
【００３１】
【図１】図１はこの発明に係わる電気コネクタの概念拡大断面図。
【図２】図２はこの発明に係わる電気コネクタの作用を示す概念断面図。
【図３】図３はこの発明に係わる電気コネクタの作用を示す概念断面図。
【図４】従来の電気コネクタの概念断面図。
【符号の説明】
【００３２】
４…印刷配線基板
４ａ…接続端子
１０…電気コネクタ
１１ａ…基板挿入口
１１…ハウジング
１２…コンタクト
１２ｄ…接点に
２０…スライダ押圧板
１２ｄ…コンタクトの一部
３０…スライダ仮保持手段
【図１】
2005056745.tif 000003
【図２】
2005056745.tif 000004
【図３】
2005056745.tif 000005
【図４】
2005056745.tif 000006